Podtech/llm-jp-corpus-v4-ja_patent huggingface dataset:
【手続補正書】
【提出日】平成15年8月29日(2003.8.29)
【手続補正１】
【補正対象書類名】特許請求の範囲
【補正対象項目名】全文
【補正方法】変更
【補正の内容】
【特許請求の範囲】
【請求項１】
薬剤として用いるための、メトクロプラミドを除くｐ−ｇｐ阻害剤と組み合わせたエレトリプタン。
【請求項２】
片頭痛の処置のための、メトクロプラミドを除くｐ−ｇｐ阻害剤と組み合わせた薬剤の製造におけるエレトリプタンの使用。
【請求項３】
メトクロプラミドを除くｐ−ｇｐ阻害剤を同時に受容する患者に投与するための、片頭痛の処置用薬剤の製造におけるエレトリプタンの使用。
【請求項４】
前記ｐ−ｇｐ阻害剤が、ｐ−ｇｐ阻害剤としての他には薬学的に活性でない請求項２または請求項３に記載の使用。
【請求項５】
前記ｐ−ｇｐ阻害剤が、ｐ−ｇｐ阻害剤としての他に薬学的にも活性である請求項２または請求項３に記載の使用。
【請求項６】
前記薬剤が、ＡＵＣによって測定されるエレトリプタンの経口バイオアベイラビリティーを、ｐ−ｇｐ阻害剤の不存在下の投薬に対して少なくとも２５％増加させる請求項２〜５のいずれか１項に記載の使用。
【請求項７】
前記薬剤が、ＡＵＣによって測定されるエレトリプタンの経口バイオアベイラビリティーを、ｐ−ｇｐ阻害剤の不存在下の投薬に対して少なくとも５０％増加させる請求項２〜５のいずれか１項に記載の使用。
【請求項８】
前記薬剤が、ＡＵＣによって測定されるエレトリプタンの経口バイオアベイラビリティーを、ｐ−ｇｐ阻害剤の不存在下の投薬に対して１００％増加させる請求項２〜５のいずれか１項に記載の使用。
【請求項９】
前記薬剤が、Ｃｍａｘによって測定されるエレトリプタンの経口バイオアベイラビリティーを、ｐ−ｇｐ阻害剤の不存在下の投薬に対して少なくとも５０％増加させる請求項２〜５のいずれか１項に記載の使用。
【請求項１０】
前記薬剤が、Ｃｍａｘによって測定されるエレトリプタンの経口バイオアベイラビリティーを、ｐ−ｇｐ阻害剤の不存在下の投薬に対して少なくとも１００％増加させる請求項２〜５のいずれか１項に記載の使用。
【請求項１１】
前記薬剤が、Ｃｍａｘによって測定されるエレトリプタンの経口バイオアベイラビリティーを、ｐ−ｇｐ阻害剤の不存在下の投薬に対して少なくとも２００％増加させる請求項２〜５のいずれか１項に記載の使用。
【請求項１２】
前記増加が血清中で測定される請求項６〜１１のいずれか１項に記載の使用。
【請求項１３】
前記薬剤が、５０％を超える、ＡＵＣによって測定されるエレトリプタンの経口バイオアベイラビリティーを与える請求項１〜１２のいずれか１項に記載の使用。
【請求項１４】
前記薬剤が、片頭痛軽癒開始速度を、ｐ−ｇｐ阻害剤の不存在下の投薬に対して少なくとも２５％改善する請求項１または１２に記載の使用。
【請求項１５】
エレトリプタン、メトクロプラミドを除くｐ−ｇｐ阻害剤および薬学的に許容しうる担体、希釈剤または賦形剤を含む医薬組成物。
【請求項１６】
前記ｐ−ｇｐ阻害剤が、ｐ−ｇｐ阻害剤としての他には薬学的に活性でない請求項１５に記載の組成物。
【請求項１７】
前記ｐ−ｇｐ阻害剤が薬学的にも活性である請求項１５に記載の組成物。
【請求項１８】
ＡＵＣによって測定されるエレトリプタンの経口バイオアベイラビリティーを、ｐ−ｇｐ阻害剤の不存在下の投薬に対して少なくとも２５％増加させる請求項１５〜１７のいずれか１項に記載の組成物。
【請求項１９】
ＡＵＣによって測定されるエレトリプタンの経口バイオアベイラビリティーを、ｐ−ｇｐ阻害剤の不存在下の投薬に対して少なくとも５０％増加させる請求項１５〜１７のいずれか１項に記載の組成物。
【請求項２０】
ＡＵＣによって測定されるエレトリプタンの経口バイオアベイラビリティーを、ｐ−ｇｐ阻害剤の不存在下の投薬に対して１００％増加させる請求項１５〜１７のいずれか１項に記載の組成物。
【請求項２１】
Ｃｍａｘによって測定されるエレトリプタンの経口バイオアベイラビリティーを、ｐ−ｇｐ阻害剤の不存在下の投薬に対して少なくとも５０％増加させる請求項１５〜１７のいずれか１項に記載の組成物。
【請求項２２】
Ｃｍａｘによって測定されるエレトリプタンの経口バイオアベイラビリティーを、ｐ−ｇｐ阻害剤の不存在下の投薬に対して少なくとも１００％増加させる請求項１５〜１７のいずれか１項に記載の組成物。
【請求項２３】
Ｃｍａｘによって測定されるエレトリプタンの経口バイオアベイラビリティーを、ｐ−ｇｐ阻害剤の不存在下の投薬に対して少なくとも２００％増加させる請求項１５〜１７のいずれか１項に記載の組成物。
【請求項２４】
前記増加が血清中で測定される請求項１８〜２３のいずれか１項に記載の組成物。
【請求項２５】
ＡＵＣによって測定されるエレトリプタンの経口バイオアベイラビリティーが５０％を超える、請求項１５〜２４のいずれか１項に記載の組成物。
【請求項２６】
片頭痛軽癒開始速度を、ｐ−ｇｐ阻害剤の不存在下の投薬に対して少なくとも２５％改善する請求項１５〜２３のいずれか１項に記載の組成物。
【請求項２７】
（１）第一剤形中に、エレトリプタンおよび薬学的に許容しうる担体、希釈剤または賦形剤を含む治療的有効量の組成物；
（２）第二剤形中に、ｐ−ｇｐ阻害剤である化合物と、薬学的に許容しうる担体、希釈剤または賦形剤とを含む治療的有効量の組成物；および
（３）該第一剤形および第二剤形を含有するための容器
を含むキット。
【請求項２８】
ｐ−ｇｐ阻害剤がエリスロマイシンである、請求項１５に記載の組成物。
【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
一般式（Ｉ）
Ｒ１Ｒ２Ｃ（ＯＨ）−ＣＲ３（ＯＨ）−ＣＯＯＸ        （Ｉ）
［式中、Ｒ１、Ｒ２およびＲ３は、相互に独立に水素、Ｃ１〜１２−アルキル、Ｃ６〜１２−アリール、Ｃ７〜１３−アルカリールまたはＣ７〜１３−アラルキルであり、かつ
Ｘは、水素、アルカリ金属、アルカリ土類金属／２またはＮＨ４である］
のグリセリン酸化合物を製造する方法において、一般式（ＩＩ）
【化１】
2004529894.tif 000001
［式中、ＹはＮＨ２である］
のグリシド酸化合物を、エポキシ環に水を開環付加させながら鹸化し、その際、使用された一般式（ＩＩ）のグリシド酸アミドは、一般式（ＩＩＩ）
Ｒ１Ｒ２Ｃ＝ＣＲ３ＣＮ          （ＩＩＩ）
のアクリロニトリルを過酸化水素と反応させることにより製造される、グリセリン酸化合物の製法。
【請求項２】
Ｒ１、Ｒ２およびＲ３は、独立に水素またはＣ１〜６−アルキルである、請求項１に記載の方法。
【請求項３】
Ｒ１、Ｒ２およびＲ３が水素である、請求項１または２に記載の方法。
【請求項４】
鹸化を酸性接触または塩基性接触により実施する、請求項１から３までのいずれか１項に記載の方法。
【請求項５】
一般式（ＩＩＩ）のアクリロニトリルを過酸化水素と反応させた後に、反応していない一般式（ＩＩＩ）のアクリロニトリルおよび他の副生成物を蒸留により反応混合物から分離する、請求項１から４までのいずれか１項に記載の方法。
【請求項６】
一般式（ＩＩＩ）のアクリロニトリルを過酸化水素と反応させた後に、反応していない過酸化水素を分解する、請求項１から５までのいずれか１項に記載の方法。
【請求項７】
鹸化の際に生じるアンモニアを留去する、請求項１から６までのいずれか１項に記載の方法。
【請求項８】
塩基性接触鹸化の後に生じる一般式（Ｉ）のグリセリン酸塩を遊離グリセリン酸に変換する、請求項１から７までのいずれか１項に記載の方法。
【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
感染部位のエンベロープウイルスを不活性化するための局所用組成物であって、Ｃ１〜Ｃ３アルコールまたはＣ２〜Ｃ４ジオール、および上記組成物のｐＨを４．６に調整するために十分な量の酸から主になる、組成物。
【請求項２】
前記アルコールは、メタノール、エタノール、１−プロパノールおよび２−プロパノールからなるグループから選択される、請求項１に記載の組成物。
【請求項３】
前記アルコールは、２，３−ブタンジオール、１，２−ブタンジオール、１，３−ブタンジオールおよび１，４−ブタンジオールからなるグループから選択される、請求項１に記載の組成物。
【請求項４】
前記アルコールはエタノールである、請求項２に記載の組成物。
【請求項５】
前記酸は有機酸である、請求項１に記載の組成物。
【請求項６】
前記有機酸は、グリコール酸、乳酸、コハク酸、リンゴ酸、クエン酸および酢酸からなるグループから選択される、請求項５に記載の組成物。
【請求項７】
前記酸は無機酸である、請求項１に記載の組成物。
【請求項８】
前記酸は塩酸である、請求項７に記載の組成物。
【請求項９】
前記組成物のｐＨは２．４５である、請求項１に記載の組成物。
【請求項１０】
前記組成物の前記アルコールの濃度は、約０．２体積％から１２．５体積％の間である、請求項１に記載の組成物。
【請求項１１】
前記組成物は、ヘルペスウイルス科のウイルスに対して有効である、請求項１に記載の組成物。
【請求項１２】
前記組成物は、単純ヘルペス１型ウイルスに対して有効である、請求項１１に記載の組成物。
【請求項１３】
前記組成物は、単純ヘルペス２型ウイルスに対して有効である、請求項１１に記載の組成物。
【請求項１４】
前記組成物は、水痘帯状ヘルペスウイルスに対して有効である、請求項１１に記載の組成物。
【請求項１５】
ヘルペスウイルスによる炎症もしくは病変を予防または治療するための局所用組成物であって１０体積％のエタノールおよび０．６重量％のグリコール酸から主になる、組成物。
【請求項１６】
前記組成物は、チンキ剤、ジェル、軟膏、クリーム、軟膏剤、ローション、リップバーム、泡沫からなるグループから選択される局所用製剤である、請求項１または１５に記載の組成物。
【請求項１７】
エンベロープウイルスを不活性化するための局所用組成物であって、アルコール、および前記組成物のｐＨを４．６以下に調整するために十分な量の酸から主になり、前記アルコールは、メタノール、エタノール、１−プロパノール、２−プロパノール、２，３−ブタンジオール、１，２−ブタンジオール、１，３−ブタンジオールおよび１，４−ブタンジオールからなるグループから選択される、組成物。
【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
式：M-Ch-Ln-(BM)mの放射性標識キレーター・生体分子コンジュゲート、および(1)放射線誘発性分解に対して式：M-Ch-Ln(BM)mの放射性標識キレーター・生体分子コンジュゲートを安定化させ、そして(2)放射性医薬組成物のpHを制御し、(3)放射性金属コロイドの形成を抑制する(少なくとも1つ)のに有効な量の式(I)：
【化１】
2004529884.tif 000001
[式中、XはO、NR1、またはCHR1であり、
YはOまたはSであり、
Zは水酸基またはハロゲンであり、
R1は0-5R2で置換された(C1-C10)アルキル、0-5R2で置換された(C3-C10)シクロアルキル、0-5R2で置換された(C2-C10)アルケニル、および0-5R2で置換されたアリールから選ばれ、
R2は、それぞれ独立してNH2、OH、CO2H、C(=O)NH2、NHC(=NH)NH2、PO3H2、およびSO3Hから選ばれる。]
の化合物または該医薬的に許容される塩を含む放射性医薬組成物。
【請求項２】
XがOである請求項1の放射性医薬組成物。
【請求項３】
YがOである請求項1の放射性医薬組成物。
【請求項４】
Zが水酸基である請求項1の放射性医薬組成物。
【請求項５】
mが1〜約5である請求項1の放射性医薬組成物。
【請求項６】
mが1または2である請求項1の放射性医薬組成物。
【請求項７】
mが1である請求項1の放射性医薬組成物。
【請求項８】
式(I)の化合物の濃度が約2mg/mL〜約200mg/mLである請求項1の放射性医薬組成物。
【請求項９】
金属放射性同位元素が約10mCi〜約2000mCiのレベルで存在する請求項1の放射性医薬組成物。
【請求項１０】
式：M-Ch-Ln-(BM)mの放射性標識キレーター・生体分子コンジュゲートが診断用放射性医薬である請求項1の放射性医薬組成物。
【請求項１１】
式：M-Ch-Ln-(BM)mの放射性標識キレーター・生体分子コンジュゲートが治療用放射性医薬である請求項1の放射性医薬組成物。
【請求項１２】
生体分子がペプチドである請求項1の放射性医薬組成物。
【請求項１３】
式：M-Ch-Ln-(BM)mの放射性標識キレーター・生体分子コンジュゲート、および式(I)：
【化２】
2004529884.tif 000002
[式中、Mは金属放射性同位元素であり、
Chは金属キレーターであり、
Lnは所望の連結基であり、
BMは生体分子であり、
mは1〜約10であり、
XはO、NR1、またはCHR1であり、
YはOまたはSであり、
Zは水酸基またはハロゲンであり、
R1は、0-5R2で置換された(C1-C10)アルキル、0-5R2で置換された(C3-C10)シクロアルキル、0-5R2で置換された(C2-C1O)アルケニル、および0-5R2で置換されたアリールから選ばれ、
R2は、それぞれ独立してNH2、OH、CO2H、C(=O)NH2、NHC(=NH)NH2、PO3H2、およびSO3Hから選ばれる。]
の化合物またはその医薬的に許容される塩を含む放射性医薬組成物(ただし、放射性医薬組成物はさらなる緩衝剤またはさらなるキレート試薬を含まない。)。
【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】  臍帯血由来の細胞を含んでなる組成物を、中枢神経系の機能の傷害を治療するための医薬品の製造において使用すること。
【請求項２】  血液由来の幹細胞を含んでなる組成物を、中枢神経系の機能の傷害を治療するための医薬品の製造において使用すること。
【請求項３】  医薬品がさらに成長因子を含む、請求項１または２に記載の使用。
【請求項４】  細胞が末梢血に由来する、請求項２に記載の使用。
【請求項５】  臍帯血から所望の細胞集団を分離することにより細胞を得る、請求項１または２に記載の使用。
【請求項６】  成長因子が、オンコスタチンＭと次のファミリー：ＦＧＦ、ニューロトロフィン、ＩＧＦ、ＣＮＴＦ、ＥＧＦ、ＴＧＦ−β、ＬＩＦ、インターロイキン、ＰＤＧＦおよびＶＥＧＦ：由来の成長因子とからなるグループから選択される、請求項３に記載の使用。
【請求項７】  細胞を精製することにより組成物を得る、請求項１または２に記載の使用。
【請求項８】  少なくとも選択された細胞集団を生体外で増殖させることにより組成物を得る、請求項１または２に記載の使用。
【請求項９】  組成物が同種細胞を含む、請求項１または２に記載の使用。
【請求項１０】  組成物が自家細胞を含む、請求項１または２に記載の使用。
【請求項１１】  中枢神経系の機能の傷害が外傷性傷害である、請求項１または２に記載の使用。
【請求項１２】  医薬品が中枢神経系の損傷を修復する、請求項１または２に記載の使用。
【請求項１３】  中枢神経系の機能の傷害が疾患に起因する、請求項１または２に記載の使用。
【請求項１４】  医薬品が中枢神経系の組織再生をもたらす、請求項１または２に記載の使用。
【請求項１５】  医薬品が測定可能な脳卒中からの回復を促進する、請求項１または２に記載の使用。
【請求項１６】  医薬品が脳卒中の修復を促進する、請求項１または２に記載の使用。
【請求項１７】  医薬品が脳卒中後の組織再生を促進する、請求項１または２に記載の使用。
【請求項１８】  細胞が遺伝因子を含む、請求項１または２に記載の使用。
【請求項１９】  遺伝因子が細胞に内在性のものである、請求項１８に記載の使用。
【請求項２０】  遺伝因子が細胞に外から加えられたものである、請求項１８に記載の使用。
【請求項２１】  医薬品が頭部外傷性傷害の回復を促進する、請求項１または２に記載の使用。
【請求項２２】  医薬品が頭部外傷性傷害の修復を促進する、請求項１または２に記載の使用。
【請求項２３】  医薬品が頭部外傷性傷害後の組織再生を促進する、請求項１または２に記載の使用。
【請求項２４】  医薬品が脳内、大槽内、脳室内、または実質内への投与のために調製される、請求項１または２に記載の使用。
【請求項２５】  細胞がＣＤ３４＋／−，Ｌｉｎ−細胞または前駆細胞である、請求項１または２に記載の使用。
【請求項２６】  細胞が、ＣＤ２−，ＣＤ３−，ＣＤ１４−，ＣＤ１６−，ＣＤ１９−，ＣＤ２４−，ＣＤ５６−，ＣＤ６６ｂ−，グリコホリンＡ−，ｆｌｋ−１＋，ＣＤ４５＋，ＣＸＣＲ４＋，ＭＤＲ＋として特徴付けられる、請求項２５に記載の使用。
【請求項２７】  医薬品が、次の疾患：パーキンソン病、アルツハイマー病、ハンチントン病、ＡＬＳ、ＭＳ、テイ−サックス病、および脳性まひ：のうちの１つの治療用である、請求項１または２に記載の使用。
【請求項２８】  医薬品が細胞分化因子を含む、請求項１または２に記載の使用。
【請求項２９】  医薬品が神経ガイダンス分子を含む、請求項１または２に記載の使用。
【請求項３０】  医薬品が脳の負傷部位への直接投与のために調製される、請求項１または２に記載の使用。
【請求項３１】  損傷が脳の酸素欠乏による、請求項１２に記載の使用。
【請求項３２】  損傷が脳卒中または窒息による、請求項３１に記載の使用。
【請求項３３】  患者の中枢神経系の機能損傷を治療するための医薬品の製造方法であって、
所定の標的細胞集団を含んだ一定分量を、
（ａ）成長培地内に細胞の開始試料を導入すること；
（ｂ）所定の標的細胞集団を分裂させること；
（ｃ）ステップ（ｂ）と同時に、ステップ（ｂ）の間断続的に、またはステップ（ｂ）の後に、成長培地中の他の細胞から標的集団の細胞を選択するために、成長培地中の細胞を選択因子に接触させること；
によって取得すること；および
細胞の一定分量から医薬品を製造することから成る方法。
【請求項３４】  選択因子が、標的細胞または非標的細胞の初期集団のいずれかに親和性を有する複数の選択的結合分子を含む、請求項３３に記載の方法。
【請求項３５】  開始試料が臍帯血であるかまたは臍帯血由来である、請求項３３に記載の方法。
【請求項３６】  細胞の一定分量がＣＤ３４＋／−，Ｌｉｎ−細胞を含む、請求項３３に記載の方法。
【請求項３７】  細胞の増殖がクローン原性である、請求項３３に記載の方法。
【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】  
【化１】
2004529855.tif 000001
およびその薬学的に許容される塩からなる群から選択される化合物。
【請求項２】  
【化２】
2004529855.tif 000002
およびその薬学的に許容される塩からなる群から選択される化合物。
【請求項３】  
【化３】
2004529855.tif 000003
およびその薬学的に許容される塩からなる群から選択される化合物。
【請求項４】  
【化４】
2004529855.tif 000004
2004529855.tif 000005
2004529855.tif 000006
およびその薬学的に許容される塩からなる群から選択される化合物。
【請求項５】  
【化５】
2004529855.tif 000007
およびその薬学的に許容される塩からなる群から選択される化合物。
【請求項６】  
【化６】
2004529855.tif 000008
およびその薬学的に許容される塩からなる群から選択される化合物。
【請求項７】  
【化７】
2004529855.tif 000009
およびその薬学的に許容される塩から選択される化合物。
【請求項８】  
【化８】
2004529855.tif 000010
およびその薬学的に許容される塩からなる群から選択される化合物。
【請求項９】  
【化９】
2004529855.tif 000011
2004529855.tif 000012
およびその薬学的に許容される塩から選択される化合物。
【請求項１０】  
【化１０】
2004529855.tif 000013
およびその薬学的に許容される塩から選択される化合物。
【請求項１１】  
【化１１】
2004529855.tif 000014
2004529855.tif 000015
およびその薬学的に許容される塩から選択される化合物。
【請求項１２】  
【化１２】
2004529855.tif 000016
およびその薬学的に許容される塩から選択される化合物。
【請求項１３】  
【化１３】
2004529855.tif 000017
およびその薬学的に許容される塩から選択される化合物。
【請求項１４】  
【化１４】
2004529855.tif 000018
2004529855.tif 000019
2004529855.tif 000020
2004529855.tif 000021
およびその薬学的に許容される塩から選択される化合物。
【手続補正書】
【提出日】平成15年9月25日(2003.9.25)
【手続補正１】
【補正対象書類名】特許請求の範囲
【補正対象項目名】全文
【補正方法】変更
【補正の内容】
【特許請求の範囲】
【請求項１】
容器用の無菌気体透過性ポート栓であって、該栓は、以下の部分：
連絡部材であって、該連絡部材は、第一末端および第二末端を有し、該第一末端は、該容器と連絡するように適合されている、連絡部材；
ストップ部材であって、該ストップ部材は、該連絡部材の該第二末端に挿入され、そして多孔性材料から作製される、ストップ部材；
カバー部材であって、該カバー部材は、該連絡部材の該第二末端を収容し、そして該連絡部材に取り外し可能に固定されている、カバー部材、
を含む、ポート栓。
【請求項２】
前記連絡部材が、チューブである、請求項１に記載のポート栓。
【請求項３】
前記チューブが、熱可塑性材料から作製される、請求項２に記載のポート栓。
【請求項４】
前記ストップ部材が、プラグである、請求項１に記載のポート栓。
【請求項５】
前記ストップ部材が、微小孔疎水性材料から作製される、請求項１に記載のポート栓。
【請求項６】
前記ストップ部材が、微小孔ポリエチレンから作製される、請求項１に記載のポート栓。
【請求項７】
さらに、弾性バンドを含み、該弾性バンドが、前記パウチおよび前記連絡部材の周りに包まれ、該カバー部材を該連絡部材に取り外し可能に固定している、請求項１に記載のポート栓。
【請求項８】
前記弾性バンドが、前記カバー部材から離れて前記チューブを転がり落ちることができ、ここで、該カバー部材が、前記連絡部材の前記第二末端から引き離され得る、請求項７に記載のポート栓。
【請求項９】
前記パウチが、第二部材と連絡された第一部材を含み、該部材が、引き離されて、前記連絡部材の前記第二末端で、前記ストップ部材を露出できる、請求項１に記載のポート栓。
【請求項１０】
前記第一部材が、紙から作製され、そして前記第二部材が、セロファンから作製される、請求項９に記載のポート栓。
【請求項１１】
さらに、弁を含み、該弁が、前記第一末端と前記第二末端との間で、前記連絡部材内で位置付けられている、請求項１に記載のポート栓。
【請求項１２】
さらに、タンパーエビデントストリップを含み、該タンパーエビデントストリップが、前記カバー部材および前記連絡部材の周りで包まれている、請求項１に記載のポート栓。
【請求項１３】
ポートを有する容器用の無菌気体透過性ポート栓であって、該栓は、以下の部分：
チューブであって、該チューブは、第一末端および第二末端を有し、該第一末端は、該ポートと連結されるように適合されている、チューブ；
プラグであって、該プラグは、該チューブの該第二末端に挿入され、該プラグは、気体透過性多孔性材料から作製される、プラグ；
カバーであって、該カバーは、第一部材および第二部材を有し、該チューブの該第二末端は、該部材間に位置付けられ、該部材は、それらの各周端で、共に密封されている、カバー；および
弾性バンドであって、該弾性バンドは、該カバーおよび該チューブの周りで包まれている、弾性バンド、
を含む、ポート栓。
【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
３価の金属の源及び２価の金属の源を含む源からの結晶性アニオン性粘土を含有する物体の製造方法であり、下記工程：
ａ）液体、２価の金属の源及び／又は３価の金属の源を含む前駆体混合物を製造する工程、ただし、それらの少なくとも１は前記液体に不溶性である、
ｂ）前記前駆体混合物を成形して、成形体を得る工程、
ｃ）前記成形体を熱的に処理する任意的な工程；及び
ｄ）前記成形体をエージングして結晶性アニオン性粘土を含有する物体を得る工程、
を含み、但し
工程ａ）の前駆体混合物中に２価又は３価の金属の源が存在しないならば、そのような源が、成形工程ｂ）の後かつエージング工程ｄ）の前に成形体に添加され、
さらに、３価の金属の源としてのアルミニウム源と２価の金属の源としてのマグネシウム源との組み合わされた使用は除かれるところの、前記製造方法。
【請求項２】
前駆体混合物が２価の金属の源及び３価の金属の源を含む、請求項１に記載の方法。
【請求項３】
前駆体混合物が成形工程ｂ）に先立って予備エージングされる、請求項１〜２のいずれか１項に記載の方法。
【請求項４】
工程ａ）において、３価の金属の源及びマグネシウム源が組み合わされて、前駆体混合物を得る、請求項２〜３のいずれか１項に記載の方法。
【請求項５】
３価の金属の源が前駆体混合物中に存在し、２価の金属の源が成形工程ｂ）の後に添加され、かつ３価の金属の源が酸化物、水酸化物、炭酸塩、ヒドロキシ炭酸塩及びそれらの組合せからなる群から選択される、請求項１〜４のいずれか１項に記載の方法。
【請求項６】
２価の金属の源が前駆体混合物中に存在し、３価の金属の源が成形工程ｂ）の後に添加され、かつ３価の金属の源が酸化物、水酸化物、炭酸塩、ヒドロキシ炭酸塩及びそれらの組合せからなる群から選択される、請求項１〜５のいずれか１項に記載の方法。
【請求項７】
３価の金属の源がアルミニウムトリハイドレート、その熱的に処理された形、又はベーマイトから選択される、請求項１〜６のいずれか１項に記載の方法。
【請求項８】
３価の金属の源が、カオリン、燐酸塩で処理されたカオリン、ベントナイト、メタカオリン及び／又はボーキサイトを含む、請求項１〜７のいずれか１項に記載の方法。
【請求項９】
２価の金属の源が酸化マグネシウムを含む、請求項１〜６のいずれか１項に記載の方法。
【請求項１０】
１より多いエージング工程が行われ、所望により中間の乾燥工程を伴い、所望により続いて焼成が行われる、請求項１〜９のいずれか１項に記載の方法。
【請求項１１】
添加剤が工程ａ）において添加される、請求項１〜１０のいずれか１項に記載の方法。
【請求項１２】
添加剤が成形工程ｂ）の後に添加される、請求項１〜１１のいずれか１項に記載の方法。
【請求項１３】
添加剤がエージング工程の任意の１工程において添加される、請求項１〜１２のいずれか１項に記載の方法。
【手続補正書】
【提出日】平成17年2月3日(2005.2.3)
【手続補正１】
【補正対象書類名】特許請求の範囲
【補正対象項目名】全文
【補正方法】変更
【補正の内容】
【特許請求の範囲】
【請求項１】
認識欠損障害の処置のための医薬の調製のための、２つの部分からなるヒスタミンＨ３レセプターアンタゴニスト／ｍ２ムスカリン様アンタゴニストの使用。
【請求項２】
前記２つの部分からなるＨ３／ｍ２アンタゴニストが、以下からなる群：
【化１−１】
2004529117.tif 000001
【化１−２】
2004529117.tif 000002
から選択される請求項１に記載の使用。
【請求項３】
認識欠損障害の処置のための医薬の調製のための、ヒスタミンＨ３レセプターアンタゴニストおよびｍ２ムスカリン性アンタゴニストの組み合わせの使用。
【請求項４】
有効量のヒスタミンＨ３アンタゴニストおよびｍ２ムスカリン様アンタゴニストの組み合わせ、ならびに薬学的に受容可能なキャリアを含有する薬学的組成物。
【誤訳訂正書】
【提出日】平成17年3月10日(2005.3.10)
【誤訳訂正１】
【訂正対象書類名】特許請求の範囲
【訂正対象項目名】請求項１
【訂正方法】変更
【訂正の内容】
【請求項１】
一般化学式において、
【化１】
2004529114.tif 000001
ここでRは、RaRbN-(CH2)m,mであり、1-10の整数であり、そして各Ra及びRbは独立して、ハロ、低級アルコキシ、ヒドロキシ、シアノ、ニトロ、又はアミノから成る群から選択される1乃至5置換基により独立的に置換された低級アルキル；
ハロ、低級アルキル、低級アルコキシ、ヒドロキシ、シアノ、ニトロ、アミノ、ハロゲン化低級アルキル、ハロゲン化低級アルコキシ、ホルミル、低級アルキルカルボニル、ヒドロキシカルボニル、低級アルキルカルボニルオキシ、ベンジルオキシ、所望により置換ピペリジノ、低級アルコキシカルボニル、及び低級アルキルカルボニルアミノから成る群から独立的に選択される1乃至5置換基にて選択的に置換されるフェニル；
ハロ、低級アルキル、低級アルコキシ、ヒドロキシ、シアノ、ニトロ、アミノ、ハロゲン化低級アルキル、ハロゲン化低級アルコキシ、ヒドロキシカルボニル、低級アルコキシカルボニル、低級アルキルカルボニルオキシ、及び低級アルキルカルボニルアミノから成る群から独立的に選択される1乃至5置換基にて、選択的に置換される3乃至7の炭素のシクロアルキル；
低級アルコキシであり；あるいは、
RaRbは、Nと一緒になったサイクリック・アミン又はイミド環を形成し；
R2は、水素、ハロ、低級アルキル、低級アルコキシ、ヒドロキシ、RC(O)O(Rは、前に定義した通りである)、シアノ、ニトロ、アミノ、ハロゲン化低級アルキル、ハロゲン化低級アルコキシ、ヒドロキシカルボニル、ホルミル、低級アルコキシカルボニル、トリ低級アルキルシリル、低級アルキルカルボニルアミノ、低級アルキルカルボニルオキシメチル、置換ビニル、1-ヒドロキシ-2-ニトロエチル、アルコキシキルカルボニルエチル、アミノカルボニル、アルキルカルボニルオキシメチル、ベンゾイルメチル、ベンジルカルボニルメチル、又はモノ-又はジ-低級アルコキシメチルであり；
R３は、水素、ハロ、低級アルキル、低級アルコキシ、ヒドロキシ、RC(O)O(Rは前に定義した通りであり)、シアノ、ニトロ、アミノ、ハロゲン化低級アルキル、ハロゲン化低級アルコキシ、ヒドロキシカルボニル、ホルミル、低級アルコキシ・カルボニル、CH2NR7R8( ここでR7及びR8それぞれは、独立的にH-、1-6炭素のアルキル、所望により置換されたフェニル、ヒドロキシ低級アルキル、アミノ低級アルキル、又はモノ-又はジアルキルアミノ低級アルキル、又は-N-と共に取られるR7及びR8は、サイクリックアミノを表す)、CH2R9( ここでR9は低級アルコキシ、CN、アミノ低級アルコキシ、モノ-又はジ-低級アルキルアミノ低級アルコキシ、低級アルキルチオ、アミノ低級アルキルチオ、又はモノ-又はジ-低級アルキルアミノ低級アルキルチオ)、又はNR10R11( ここでR10及びR11それぞれは、独立的に水素、低級アルキル、フェニル、ヒドロキシ低級アルキル、アミノ低級アルキル、又はモノ-又はジ-低級アルキル、又はN-と共に取られるR10及びR11がサイクリックアミノを表す)、ジアルキルアミノ・アルキル、低級アルキルカルボニルオキシ、又は低級アルキルカルボニルアミノであり；そして
R4は、水素、ハロ、低級アルキル、低級アルコキシ、ヒドロキシ、RC(O)O(Rは、前に定義した通りである）、シアノ、ニトロ、アミノ、アミノ低級アルキル、ハロゲン化低級アルキル、ハロゲン化低級アルコキシ、ヒドロキシカルボニル、ホルミル、低級アルコキシカルボニル、カルバモイルオキシ、低級アルキルカルボニルオキシ、又は低級アルキルカルボニルアミノであり、又はR５と共にR４は、メチレンジオキシであり；
R5は、水素、ハロ、低級アルキル、低級アルコキシ、ヒドロキシ、RC(O)O(Rは前に定義した通りである)、シアノ、ニトロ、アミノ、ハロゲン化低級アルキル、ハロゲン化低級アルコキシ、ヒドロキシカルボニル、ホルミル、低級アルコキシカルボニル、低級アルキルカルボニルオキシ、又は低級アルキルカルボニルアミノであり；
R6は、水素、ハロ、低級アルキル、低級アルコキシ、ヒドロキシ、RC(O)O(Rは、前に定義した通りである)、シアノ、ニトロ、アミノ、ハロゲン化低級アルキル、ハロゲン化低級アルコキシ、ヒドロキシカルボニル、ホルミル、低級アルコキシカルボニル、低級アルキルカルボニルオキシ、又は低級アルキルカルボニルアミノである；
である一般化学式の化合物。
【手続補正書】
【提出日】平成17年2月8日(2005.2.8)
【手続補正１】
【補正対象書類名】特許請求の範囲
【補正対象項目名】全文
【補正方法】変更
【補正の内容】
【特許請求の範囲】
【請求項１】
R-サルメテロールまたはそれの生理学的に許容される塩もしくは溶媒和物と、プロピオン酸フルチカゾンまたはそれの生理学的に許容される塩もしくは溶媒和物との組合せ。
【請求項２】
R-サルメテロールまたはそれの生理学的に許容される塩もしくは溶媒和物、およびプロピオン酸フルチカゾンまたはそれの生理学的に許容される塩もしくは溶媒和物、および医薬的に許容される担体または賦形剤、および場合によっては１種以上の他の治療用成分を含んでなる医薬製剤。
【請求項３】
キシナホ酸R-サルメテロールおよびプロピオン酸フルチカゾン、ならびに医薬的に許容される担体または賦形剤、および場合によっては１種以上の他の治療用成分を含んでなる医薬製剤。
【請求項４】
吸入による投与に適切である、請求項２または３に記載の医薬製剤。
【請求項５】
基本的にR-サルメテロールまたはそれの生理学的に許容される塩、プロピオン酸フルチカゾンまたはそれの生理学的に許容される塩、場合によっては１種以上の他の治療用成分またはそれの生理学的に許容される塩もしくは溶媒和物、および推進剤としての1,1,1,2-テトラフルオロエタン、1,1,1,2,3,3,3-ヘプタフルオロ-n-プロパンまたはそれらの混合物から構成される医薬エアロゾル製剤。
【請求項６】
前記R-サルメテロールがそのキシナホ酸塩の形態にある、請求項５に記載の医薬エアロゾル製剤。
【請求項７】
医薬エアロゾル製剤を送出するのに適切であって且つ使用される推進剤の蒸気圧に耐えることができるキャニスターであって、計量バルブで閉じられており且つ請求項２〜６のいずれか１項に記載の医薬製剤が入っている上記キャニスター。
【請求項８】
適当なチャネリング装置の中に組み込まれている請求項７に記載のキャニスターを有している計量式吸入器。
【手続補正書】
【提出日】平成16年10月22日(2004.10.22)
【手続補正１】
【補正対象書類名】明細書
【補正対象項目名】特許請求の範囲
【補正方法】変更
【補正の内容】
【特許請求の範囲】
【請求項１】    腫瘍を治療するための医薬組成物であって：
（ａ）樹状細胞動員因子；および
（ｂ）樹状細胞の成熟を刺激する腫瘍殺傷剤；
を組み合わせてなる、前記医薬組成物。
【請求項２】    樹状細胞動員因子がＦｌｔ３Ｌであり、そして樹状細胞の成熟を刺激する腫瘍殺傷剤がＣＤ４０Ｌである、請求項１に記載の医薬組成物。
【請求項３】    腫瘍を治療するための医薬組成物であって：
（ａ）樹状細胞動員因子；
（ｂ）腫瘍殺傷剤；および
（ｃ）樹状細胞成熟剤；
を組み合わせてなる、前記医薬組成物。
【請求項４】    樹状細胞動員因子がＦｌｔ３Ｌであり、そして樹状細胞成熟剤がＣＤ４０Ｌである、請求項３に記載の医薬組成物。
【請求項５】    さらに、Ｔ細胞増進因子を組み合わせてなる、請求項１から４のいずれか１項に記載の医薬組成物。
【請求項６】    Ｔ細胞増進因子がインターロイキン−１５である、請求項５に記載の医薬組成物。
【請求項７】    Ｔ細胞増進因子が：
（ａ）Ｏｘ４０アゴニスト；
（ｂ）４−１ＢＢアゴニスト；および
（ｃ）Ｏｘ４０アゴニストおよび４−１ＢＢアゴニストの組み合わせ
からなる群より選択される、請求項５に記載の医薬組成物。
【請求項８】    樹状細胞動員因子を含んでなる、凍結療法と組み合わせて用いられる腫瘍を治療するための医薬組成物。
【請求項９】    樹状細胞動員因子がＦｌｔ３Ｌである、請求項８に記載の医薬組成物。
【請求項１０】    さらに、樹状細胞成熟剤を組み合わせてなる、請求項８または９に記載の医薬組成物。
【請求項１１】    さらに、Ｔ細胞増進因子を組み合わせてなる、請求項１０に記載の医薬組成物。
【請求項１２】    樹状細胞成熟剤がＣＤ４０Ｌであり、そしてＴ細胞増進因子が：
（ａ）Ｏｘ４０アゴニスト；
（ｂ）４−１ＢＢアゴニスト；
（ｃ）Ｏｘ４０アゴニストおよび４−１ＢＢアゴニストの組み合わせ；および
（ｄ）インターロイキン−１５
からなる群より選択される、請求項１１に記載の医薬組成物。
【請求項１３】    腫瘍部位に樹状細胞を誘引するために、さらに樹状細胞誘引剤を組み合わせてなる、請求項１から１２のいずれか１項に記載の医薬組成物。
【請求項１４】    腫瘍部位にＴ細胞を誘引するために、さらにＴ細胞誘引剤を組み合わせてなる、請求項１から１２のいずれか１項に記載の医薬組成物。
【請求項１５】    腫瘍殺傷剤と樹状細胞を組み合わせてなる、腫瘍をもつ被験者を治療するための医薬組成物であって、該樹状細胞は以下の工程：
（ａ）樹状細胞動員因子の療法的有効量を被験者に投与し；そして
（ｂ）個体から樹状細胞を得て、そしてｅｘ  ｖｉｖｏで該樹状細胞を培養する；
ことにより得られたものである、前記医薬組成物。
【請求項１６】    医薬組成物に組み合わせる樹状細胞を得る工程が、さらにｅｘ  ｖｉｖｏで樹状細胞を樹状細胞成熟剤と接触させる工程を含む、請求項１５に記載の医薬組成物。
【請求項１７】    医薬組成物に組み合わせる樹状細胞を得る工程が、樹状細胞を樹状細胞成熟剤と接触させる前に、抗原と接触させる工程を含む、請求項１６に記載の医薬組成物。
【請求項１８】    医薬組成物に組み合わせる樹状細胞を得る工程が、樹状細胞を樹状細胞成熟剤と接触させた後に、抗原と接触させる工程を含む、請求項１６に記載の医薬組成物。
【請求項１９】    樹状細胞動員因子がＦｌｔ３Ｌであり、そして樹状細胞成熟剤がＣＤ４０Ｌである、請求項１６から１８のいずれか１項に記載の医薬組成物。
【請求項２０】    腫瘍を持つ被験者を治療するための医薬組成物であって、該医薬組成物は以下：
（ａ）樹状細胞動員因子の療法的有効量を被験者に投与し；
（ｂ）個体から樹状細胞を得て、そしてｅｘ  ｖｉｖｏで樹状細胞を培養し；
（ｃ）樹状細胞を成熟させそして活性化させ、そして抗原を発現させ；
（ｄ）個体からＴ細胞を得て；そして
（ｅ）ｅｘ  ｖｉｖｏで、成熟し活性である抗原発現樹状細胞を該Ｔ細胞を接触させて、活性化された抗原特異的Ｔ細胞を得る；
の工程で得られた活性化された抗原特異的Ｔ細胞を含んでなる、前記医薬組成物。
【請求項２１】    活性化された抗原特異的Ｔ細胞を得る工程が、Ｔ細胞を個体から得る前に、さらにＴ細胞増進剤を個体に投与する工程を含む、請求項２０に記載の医薬組成物。
【請求項２２】    Ｔ細胞増進剤をさらに組み合わせてなる、請求項２０または２１に記載の医薬組成物。
【請求項２３】    Ｔ細胞増進剤が：
（ａ）Ｏｘ４０アゴニスト；
（ｂ）４−１ＢＢアゴニスト；
（ｃ）Ｏｘ４０アゴニストおよび４−１ＢＢアゴニストの組み合わせ；および
（ｄ）インターロイキン−１５；
からなる群より選択される、請求項２２に記載の医薬組成物。
【請求項２４】    腫瘍部位にＴ細胞を誘引するために、Ｔ細胞誘引剤をさらに組み合わせてなる、請求項２０ないし２３のいずれか１項に記載の医薬組成物。
【請求項２５】    ＣＤ４０Ｌを含んでなる樹状細胞成熟剤が、樹状細胞を成熟させそして活性化させ、そして抗原を発現させるために用いられる、請求項２０ないし２４のいずれか１項に記載の組成物。
【請求項２６】    樹状細胞動員因子がＦｌｔ３Ｌである、請求項２０ないし２５のいずれか１項に記載の組成物。
【手続補正書】
【提出日】平成17年3月8日(2005.3.8)
【手続補正１】
【補正対象書類名】特許請求の範囲
【補正対象項目名】全文
【補正方法】変更
【補正の内容】
【特許請求の範囲】
【請求項１】
緩徐な不活性化を示すA型K+ チャネル (slowly-inactivating A-type K+ channel)開口作用を有する化合物またはその薬理学的に許容される塩を有効成分として含有する前立腺肥大症に伴う膀胱刺激症状治療剤。
【請求項２】
緩徐な不活性化を示すA型K+ チャネル (slowly-inactivating A-type K+ channel)開口作用を有する化合物が、N-(5,5-ジオキシド-10-オキソ-4,10-ジヒドロチエノ[3,2-c][1]ベンゾチエピン-9-イル)-3,3,3-トリフルオロ-2-ヒドロキシ-2-メチルプロパンアミドである請求項１に記載の前立腺肥大症に伴う膀胱刺激症状の治療剤。
【請求項３】
緩徐な不活性化を示すA型K+ チャネル (slowly-inactivating A-type K+ channel)開口作用を指標として測定することを含む、前立腺肥大症に伴う膀胱刺激症状治療剤のスクリーニング方法。
【手続補正２】
【補正対象書類名】明細書
【補正対象項目名】００６０
【補正方法】変更
【補正の内容】
【００６０】
本発明は、slowly-inactivating A-type K+ channel開口作用を有する化合物またはその薬理学的に許容される塩を有効成分として含有するBPHに伴う膀胱刺激症状治療剤、およびslowly-inactivating A-type K+ channel開口作用を指標として測定することを含む、BPHに伴う膀胱刺激症状治療剤のスクリーニング方法を提供する。
【手続補正書】
【提出日】平成17年5月2日(2005.5.2)
【手続補正１】
【補正対象書類名】特許請求の範囲
【補正対象項目名】全文
【補正方法】変更
【補正の内容】
【特許請求の範囲】
【請求項１】
有効量の最低1種の毒性外来遺伝子を担持するＨＳＶ由来のアプリコン欠損ウイルスゲノム、およびＨＳＶ由来の突然変異体ヘルパーウイルス、ならびに製薬学的に許容できる担体、賦形剤もしくは希釈剤を含んで成る、個体における充実性腫瘍の治療での使用のための製薬学的組成物。
【請求項２】
個体における充実性腫瘍の治療のための製薬学的組成物の製造のための、最低１種の毒性外来遺伝子を担持するＨＳＶ由来のアンプリコン欠損ウイルスゲノムおよびＨＳＶ由来の突然変異体ヘルパーウイルスの使用。
【請求項３】
有効量の最低１種の毒性外来遺伝子を担持するＨＳＶ由来の欠損ウイルスアンプリコンゲノムをＨＳＶ由来の突然変異体ヘルパーベクターと一緒に含んで成る第一の製薬学的組成物、および、有効量の治療される個体の免疫系を高めることが可能なペプチドをコードする遺伝子を担持するウイルス由来アプリコンを含んで成る第二の製薬学的組成物を包含する２種の製薬学的組成物の組合せ剤であって、該組合せ剤は充実性腫瘍の治療のために個体に投与することが意図され、その治療において前記第二の組成物が前記第一の製薬学的組成物の投与の前、間もしくは後に投与される、組合せ剤。
【請求項４】
個体における充実性腫瘍の治療のための薬剤の製造のための、有効量の最低１種の毒性外来遺伝子を担持するＨＳＶ由来の欠損ウイルスアンプリコンゲノムをＨＳＶ由来の突然変異体ヘルパーベクターと一緒に含んで成る第一の製薬学的組成物の使用であって、その治療は、前記第一の組成物を個体に投与すること、およびその前、間もしくは後の時間Ｔに、有効量の治療される個体の免疫系を高めることが可能なペプチドをコードする遺伝子を担持するウイルス由来アンプリコンを含んで成る第二の製薬学的組成物を前記個体に投与すること、を包含する使用。
【請求項５】
有効量の最低１種の毒性外来遺伝子を担持するＨＳＶ由来の欠損ウイルスアンプリコンゲノムをＨＳＶ由来の突然変異体ヘルパーベクターと一緒に含んで成る第一の製薬学的組成物、および、有効量の治療される個体の免疫系を高めることが可能なペプチドをコードする遺伝子を担持するウイルス由来アンプリコンを含んで成る第二の製薬学的組成物を、使用のための指示書と一緒に含んで成るキット。
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
（ｉ）中性リン脂質、
（ｉｉ）負に荷電したリン脂質、
（ｉｉｉ）ステロール
を含むリポソームであって、
当該リポソームの内部相中にエントラップされた修飾剤化合物を有し、
上記修飾剤化合物が、当該リポソームのリン脂質二層を横断して拡散した内在化可能材料を当該リポソーム内で不可逆的に化学修飾して、不可逆的に化学修飾された材料が当該リポソーム内に内在化したまま残るようにすることができる化合物であり、
上記中性リン脂質が、総脂質含量の６０−９０モルパーセントで存在し、上記負に荷電したリン脂質が、総脂質含量の２−２０モルパーセントで存在し、かつ上記ステロールが総脂質含量の５−２５モルパーセントで存在する、リポソーム。
【請求項２】
前記修飾剤化合物が還元剤である、請求項１記載のリポソーム。
【請求項３】
前記修飾剤化合物がアスコルビン酸、システイン及びグルタチオンから選択される、請求項１又は請求項２記載のリポソーム。
【請求項４】
前記内在化可能材料が、放射性活性剤、常磁性剤又は放射性不透性剤から選択される請求項１乃至請求項３のいずれか１項記載のリポソーム。
【請求項５】
前記内在化可能材料が金属キレートである、請求項１乃至請求項４のいずれか１項記載のリポソーム。
【請求項６】
前記金属キレートの金属が、ＳＰＥＣＴ又はＰＥＴ画像化に適した放射性金属、ＭＲＩに適した常磁性金属、又はＸ線画像化に適した放射性不透性金属から選択される、請求項５記載のリポソーム。
【請求項７】
前記内在化可能材料がプロドラッグである、請求項１乃至請求項３のいずれか１項記載のリポソーム。
【請求項８】
前記ステロールが総脂質含量の１０−２５モルパーセントで存在する、請求項１乃至請求項７のいずれか１項記載のリポソーム。
【請求項９】
前記中性リン脂質の脂肪族アシル鎖長及び前記負に荷電したリン脂質の脂肪族アシル鎖長が１４乃至請求項２０炭素原子の範囲内である、請求項１乃至請求項８のいずれか１項記載のリポソーム。
【請求項１０】
前記中性リン脂質がフォスファチジルコリン化合物である、請求項１乃至請求項９のいずれか１項の化合物。
【請求項１１】
前記負に荷電したリン脂質が、フォスファチジルグリセロール化合物、フォスファチジルセリン化合物又はフォスファチジルイノシトール化合物である、請求項１乃至請求項１０のいずれか１項記載のリポソーム。
【請求項１２】
内在化材料を有するリポソームであって、
（ｉ）請求項１乃至請求項１１記載のリポソーム、
（ｉｉ）請求項１乃至請求項７記載の不可逆的に化学修飾された材料、
を含むリポソーム。
【請求項１３】
前記内在化材料が、ＳＰＥＣＴ画像化剤、ＭＲＩ造影剤又はＸ線造影剤である、請求項１２記載のリポソーム。
【請求項１４】
該内在化材料が薬物である、請求項１２記載のリポソーム。
【請求項１５】
請求項１２又は請求項１３記載のリポソームの調製用キットであって、
（ｉ）請求項１乃至請求項６及び請求項８乃至請求項１１のいずれか１項記載のリポソームを含む第１の区画と、
（ｉｉ）請求項４乃至請求項６記載の内在化可能材料又はその前駆体を含む第２区画
を含むキット。
【請求項１６】
請求項１４記載のリポソームの調製用キットであって、
（ｉ）請求項１乃至請求項３及び請求項７乃至請求項１１のいずれか１項記載のリポソームを含む第１区画と、
（ｉｉ）請求項７記載の内在化可能材料又はその前駆体を含む第２区画
を含むキット。
【請求項１７】
ヒトの感染、炎症又は腫瘍を画像化するための、請求項１３記載のキットから調製されたリポソームの使用。
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
皮膚トリートメント組成物を調製するためのプロアントロシアニジンオリゴマー（ＯＰＣ）の使用。
【請求項２】
用いる活性成分が、ＯＰＣのＡ２ダイマーであることを特徴とする請求項１に記載の使用。
【請求項３】
用いる活性成分が、プロアントロシアニジンＡ２であることを特徴とする請求項１又は２に記載の使用。
【請求項４】
用いる活性成分が、有効量のＯＰＣ、好ましくはＯＰＣのＡ２ダイマー、とりわけプロアントロシアニジンＡ２を有する植物抽出物であることを特徴とする請求項１〜３のいずれかに記載の使用。
【請求項５】
グリーンティ、パイン樹皮、ブドウの種子（Vitis vinifera）、レイシの果皮（Litchi chinensis）及びキンロバイ（Potentilla erecta）、並びにそれらの混合物よりなる群から選ばれる植物抽出物を利用することを特徴とする請求項４に記載の使用。
【請求項６】
線維芽細胞中でＭＭＰの活性及び産出を減少させるためのプロアントロシアニジンオリゴマーの使用。
【請求項７】
自然老化プロセス及び酸化的ストレスに対する保護細胞を活性化させるためのプロアントロシアニジンオリゴマーの使用。
【請求項８】
不活性鉄錯体を形成するためのプロアントロシアニジンオリゴマーの使用。
【請求項９】
スーパーオキシドアニオンを失活させるためのプロアントロシアニジンオリゴマーの使用。
【請求項１０】
マスト細胞、好塩基球性及び／又は好酸球性の白血球からの炎症誘発性活性成分の放出を減少させるためのプロアントロシアニジンオリゴマーの使用。
【請求項１１】
プラスミン抑制因子としてのプロアントロシアニジンオリゴマーの使用。
【請求項１２】
敏感肌を保護するための活性成分としてのプロアントロシアニジンオリゴマーの使用。
【請求項１３】
ざ瘡及び酒さに対する活性成分としてのプロアントロシアニジンオリゴマーの使用。
【請求項１４】
セリュライトに対する活性成分としてのプロアントロシアニジンオリゴマーの使用。
【手続補正２】
【補正対象書類名】明細書
【補正対象項目名】０００１
【補正方法】変更
【補正の内容】
【０００１】
本発明は、化粧品の分野にあって、皮膚トリートメント生成物、特に、皮膚の老化を妨げる生成物の製造のためのプロアントロシアニジンオリゴマーの使用に関する。
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
pH約5.5〜約7.0で配合される、親油性薬剤、カチオン緩衝剤および任意の水溶性ポリマーを含んで成る水性眼用組成物。
【請求項２】
該カチオン緩衝剤が、ヒスチジンおよびビス−トリスから成る群から選択される請求項1に記載の水性組成物。
【請求項３】
該カチオン緩衝剤がヒスチジンである請求項2に記載の水性組成物。
【請求項４】
該薬剤がプレドニゾロンである請求項1〜3のいずれか1つに記載の組成物。
【請求項５】
親油性薬剤、シクロデキストリンまたはシクロデキストリン誘導体、および水溶性ポリマーを含んで成る包接複合体の製造方法であって、
a）  該薬剤、シクロデキストリンまたはシクロデキストリン誘導体、およびポリマーを、約7.0未満のpKaを有するカチオン緩衝剤中で混合する工程；
b）  工程a）の混合物を、約100℃〜約140℃の温度で約5分〜約30分間加熱する工程
を含んで成る方法。
【請求項６】
該シクロデキストリン誘導体がSBEシクロデキストリンである請求項5に記載の方法。
【請求項７】
該緩衝剤がアミン緩衝剤である請求項5に記載の方法。
【請求項８】
該緩衝剤がヒスチジンである請求項7に記載の方法。
【請求項９】
該緩衝剤がビス−トリスである請求項8に記載の方法。
【請求項１０】
該薬剤がプレドニゾロンである請求項5〜9のいずれか1つに記載の方法。
【手続補正書】
【提出日】平成17年3月14日(2005.3.14)
【手続補正１】
【補正対象書類名】特許請求の範囲
【補正対象項目名】請求項１
【補正方法】変更
【補正の内容】
【請求項１】
エポキシ基を有する側鎖を有する脂環式化合物Ｉを、ルテニウム触媒上で、少なくとも１つの炭素環式の芳香族基及び少なくとも１つのエポキシ基を有する少なくとも１つの側鎖を有する化合物ＩＩの不均一系触媒による水素添加によって製造するための方法において、ルテニウム触媒が
ｉ）非晶質の二酸化ケイ素をベースとする担持材料を、低分子量ルテニウム化合物のハロゲン不含の水溶液での１回以上の処理並びに引き続いての処理された担持材料の２００℃未満の温度での乾燥、その際、該担持材料は担持材料の全質量に対して少なくとも９０質量％までが非晶質の二酸化ケイ素からなり、かつ担持材料の全質量に対して少なくとも１０質量％未満が結晶性二酸化ケイ素相を有し、
ｉｉ）上記ｉ）で得られた固体の、１００〜３５０℃の範囲の温度での水素による還元によって得られ、
その際、工程ｉｉ）は工程ｉ）の直後に実施することを特徴とする、エポキシ基を有する側鎖を有する脂環式化合物Ｉを製造する方法。